(57)【要約】      （修正有）【課題】ロール紙のカット長のばらつきを少なくし、さらに、カットされたロール紙が容易に取り出すことができるロール紙搬送装置を提供する。【解決手段】第一搬送ローラ４０と第二搬送ローラ５０の間にバッファ機構６０を設け、バッファ機構に、たわんだロール紙Ｐの収容と切断したロール紙Ｐの引き出しとを行う空間部Ｓを設ける。これにより、所定の大きさのループとなるようにロール紙をたわませロール紙のカット長のばらつきを少なく、カットされたロール紙が容易に取り出すことができる。【選択図】図４
2011241006.tif 000002
【特許請求の範囲】
【請求項１】
ロール紙を収容したロール紙収容部と、該ロール紙を切断する切断手段と、該ロール紙収容部からロール紙を繰り出す繰り出しローラ対と、該切断手段から繰り出されたロール紙を搬送する第一搬送ローラ対と、該ロール紙に画像を形成する作像部と、該第一搬送ローラ対から繰り出されたロール紙を作像部に搬送する第二搬送ローラ対とを有し、
前記第一搬送ローラと前記第二搬送ローラ間にはバッファ機構が設けられ、
前記バッファ機構は、たわんだ前記ロール紙の収容と切断した前記ロール紙の引き出しとを行う空間部が設けられていることを特徴とするロール紙搬送装置。
【請求項２】
前記バッファ機構は、前記ロール紙がたわんだ時に生じるループの大きさを規制するガイド部が設けられていることを特徴とする請求項１記載のロール紙搬送装置。
【請求項３】
前記ガイド部には、ロール紙の各幅に対して、幅の異なるロール紙であっても一定の大きさのループを形成する調整手段が設けられていることを特徴とする請求項１または２記載のロール紙搬送装置。
【請求項４】
前記ロール紙は、前記繰り出しローラ対、前記切断手段、前記第一搬送ローラ対、バッファ機構、前記第二搬送ローラ対の順に搬送されるとともに、前記繰り出しローラ対、前記切断手段、前記第一搬送ローラ対、バッファ機構の搬送経路が上方に向かうように形成されていることを特徴とする請求項1乃至３いずれか記載のロール紙搬送装置。
【請求項５】
前記空間部は、前記ロール紙収容部側に形成され、前記ロール紙を切断した前記ロール紙を引き出す場合、前記第一搬送ローラ対により、前記ロール紙をロール紙の収容作業側に繰り出すことを特徴とする請求項１乃至４記載のいずれか記載のロール紙搬送装置。
【請求項６】
ロール紙を収容したロール紙収容部と、該ロール紙を切断する切断手段と、該ロール紙収容部からロール紙を繰り出す繰り出しローラ対と、該切断手段から繰り出されたロール紙を搬送する第一搬送ローラ対と、該ロール紙に画像を形成する作像部と、該第一搬送ローラ対から繰り出されたロール紙を作像部に搬送する第二搬送ローラ対とを有し、
前記第一搬送ローラと前記第二搬送ローラ間にはバッファ機構が設けられ、
前記バッファ機構は、たわんだ前記ロール紙の収容と切断した前記ロール紙の引き出しとを行う空間部と、前記ロール紙がたわんだ時に生じるループの大きさを規制するガイド部とが設けられ、
前記ガイド部には、ロール紙の各幅に対して、幅の異なるロール紙であっても一定の大きさのループを形成する調整手段が設けられ、
前記ロール紙は、前記繰り出しローラ対、前記切断手段、前記第一搬送ローラ対、バッファ機構、前記第二搬送ローラ対の順に搬送されるとともに、前記繰り出しローラ対、前記切断手段、前記第一搬送ローラ対、バッファ機構の搬送経路が上方に向かうように形成され、
前記空間部は、前記ロール紙収容部側に形成され、前記ロール紙を切断した前記ロール紙を引き出す場合、前記第一搬送ローラ対により、前記ロール紙をロール紙の収容作業側に繰り出すことを特徴とするロール紙搬送装置。
【発明の詳細な説明】
【技術分野】
【０００１】
本発明は、ロール紙搬送装置に関する。
【背景技術】
【０００２】
ロール紙を搬送する構成として特許文献１のようなものがある。この構成は、複数の給紙ホルダにそれぞれロール紙を収容させ、これら複数のロール紙のうちの指定のものを選択的に搬送し、そのロール紙を走行させながら切断装置により原稿サイズに応じた適宜な長さに切断し、画像形成装置本体に記録紙として給送するものである。
【先行技術文献】
【特許文献】
【０００３】
【特許文献１】特開平８−１２１４８号公報
【発明の概要】
【発明が解決しようとする課題】
【０００４】
しかし、このような構成は、以下のような問題がある。先ず、例えば、ロール紙に画像を形成する作像部として電子写真方式を適用した場合、ロール紙に転写したトナー像を永久固定するために定着する必要がある。
【０００５】
定着するときに、ロール紙に含まれている水分が蒸発して、定着を行う装置側にロール紙が引っ張られやすくなる。
【０００６】
あるいは、ロール紙を繰り出している駆動手段（例えばローラ対）の機械的精度等によりロール紙を繰り出す搬送力がばらついて、ロール紙を一定の速度で送り出すことができない。この結果、ロール紙のカット長のばらつきが生じやすいという問題がある。
【０００７】
また、特許文献１におけるロール紙の搬送は、図１、図２に示すように、画像形成装置本体を経て原稿の画像を形成した後、用紙排出路を経て、その記録紙を記録紙排出部へと排出するものであるため、１）排出するまで時間がかかること、２）経路より短い長さのものは、ロール紙をカットして記録排出部に排出ことができないこと、３）ロール紙を所定の長さにカットする場合、画像形成装置本体を経由する必要があり、画像形成装置本体とロール紙の表面が接触する可能性があり、画像の品質に影響を及ぼすことがあった。
【０００８】
特に、２）において、次のような問題がある。具体的には、最近の新しいロール紙は、搬送中に梱包された箱の中で散けないように先端が粘着テープ等で貼られている。
【０００９】
このため、新しいロール紙を給紙装置に装着または交換する時、ロール紙の先端部分に付着したテープを取り除いたり、ロール紙の先端を合わせたりするのに、ロール紙の先端を切断する必要がある。
【００１０】
そうすると、切断したロール紙を取り出すために、給紙装置を画像形成装置から着脱作業を行わなければならない。この作業は、サイズの小さい、Ａ４サイズの幅を持つロール紙の場合は、それほどわずらわしくない。しかし、サイズの大きい、Ａ０サイズの幅程を持つロール紙の場合は、重量がかさみ、画像形成装置から給紙装置を着脱する作業はわずらわしいものとなる。
【００１１】
解決しようとする問題点は、ロール紙のカット長のばらつきを少なくし、さらに、カットされたロール紙が容易に取り出すことにある。
【課題を解決するための手段】
【００１２】
上記問題を解決するために、ロール紙を収容したロール紙収容部と、該ロール紙を切断する切断手段と、該ロール紙収容部からロール紙を繰り出す繰り出しローラ対と、該切断手段から繰り出されたロール紙を搬送する第一搬送ローラ対と、該ロール紙に画像を形成する作像部と、該第一搬送ローラ対から繰り出されたロール紙を作像部に搬送する第二搬送ローラ対とを有し、第一搬送ローラと第二搬送ローラ間にはバッファ機構が設けられ、バッファ機構は、たわんだロール紙の収容と切断したロール紙の引き出しとを行う空間部が設けられていることを特徴とする。
【００１３】
また、請求項２において、バッファ機構は、ロール紙がたわんだ時に生じるループの大きさを規制するガイド部が設けられていることを特徴とする。
【００１４】
さらに、請求項３において、ガイド部には、ロール紙の各幅に対して、幅の異なるロール紙であっても一定の大きさのループを形成する調整手段が設けられていることを特徴とする。
【００１５】
請求項４において、ロール紙は、繰り出しローラ対、切断手段、第一搬送ローラ対、バッファ機構、第二搬送ローラ対の順に搬送されるとともに、繰り出しローラ対、切断手段、第一搬送ローラ対、バッファ機構の搬送経路が上方に向かうように形成されていることを特徴とする。
【００１６】
請求項５において、空間部は、ロール紙収容部側に形成され、ロール紙を切断したロール紙を引き出す場合、第一搬送ローラ対により、ロール紙をロール紙の収容作業側に繰り出すことを特徴とする。
【００１７】
さらに、請求項６において、ロール紙を収容したロール紙収容部と、該ロール紙を切断する切断手段と、該ロール紙収容部からロール紙を繰り出す繰り出しローラ対と、該切断手段から繰り出されたロール紙を搬送する第一搬送ローラ対と、該ロール紙に画像を形成する作像部と、該第一搬送ローラ対から繰り出されたロール紙を作像部に搬送する第二搬送ローラ対とを有し、第一搬送ローラと第二搬送ローラ間にはバッファ機構が設けられ、バッファ機構は、たわんだロール紙の収容と切断したロール紙の引き出しとを行う空間部と、ロール紙がたわんだ時に生じるループの大きさを規制するガイド部とが設けられ、ガイド部には、ロール紙の各幅に対して、幅の異なるロール紙であっても一定の大きさのループを形成する調整手段が設けられ、ロール紙は、繰り出しローラ対、切断手段、第一搬送ローラ対、バッファ機構、第二搬送ローラ対の順に搬送されるとともに、繰り出しローラ対、切断手段、第一搬送ローラ対、バッファ機構の搬送経路が上方に向かうように形成され、空間部は、ロール紙収容部側に形成され、ロール紙を切断したロール紙を引き出す場合、第一搬送ローラ対により、ロール紙をロール紙の収容作業側に繰り出すことを特徴とする。
【発明の効果】
【００１８】
本発明のロール搬送装置は、バッファ機構を第一搬送ローラと第二搬送ローラ間に設け、バッファ機構に、たわんだロール紙の収容と切断したロール紙の引き出しとを行う空間部を設けることにより、所定の大きさのループとなるようにロール紙をたわませてロール紙のカット長のばらつきを少なくし、さらに、カットされたロール紙が容易に取り出すことができる。
【００１９】
また、請求項２において、バッファ機構に、ロール紙がたわんだ時に生じるループの大きさを規制するガイド部を設けることにより、ロール紙の各幅に対し所定の大きさのループを形成することができる。
【００２０】
さらに、請求項３において、ガイド部に調整手段を設けることにより、請求項２を具体化するとともに、異なる種類のロール紙であっても一定の大きさのループを形成することができる。
【００２１】
請求項４において、ロール紙は、繰り出しローラ対、切断手段、第一搬送ローラ対、バッファ機構、第二搬送ローラ対の順に搬送されるとともに、繰り出しローラ対、切断手段、第一搬送ローラ対、バッファ機構の搬送経路が上方に向かうように形成することにより、カットしたロール紙を容易に取り出すことができる。
【００２２】
請求項５において、空間部をロール紙収容部側に形成し、ロール紙を切断したロール紙を引き出す場合、第一搬送ローラ対により、ロール紙をロール紙の収容作業側に繰り出すことにより、カットしたロール紙を容易に取り出すことができる。
【００２３】
請求項６において、ロール紙を収容したロール紙収容部と、該ロール紙を切断する切断手段と、該ロール紙収容部からロール紙を繰り出す繰り出しローラ対と、該切断手段から繰り出されたロール紙を搬送する第一搬送ローラ対と、該ロール紙に画像を形成する作像部と、該第一搬送ローラ対から繰り出されたロール紙を作像部に搬送する第二搬送ローラ対とを有し、第一搬送ローラと第二搬送ローラ間にはバッファ機構が設けられ、バッファ機構は、たわんだロール紙の収容と切断したロール紙の引き出しとを行う空間部と、ロール紙がたわんだ時に生じるループの大きさを規制するガイド部とが設けられ、ガイド部には、ロール紙の各幅に対して、幅の異なるロール紙であっても一定の大きさのループを形成する調整手段が設けられ、ロール紙は、繰り出しローラ対、切断手段、第一搬送ローラ対、バッファ機構、第二搬送ローラ対の順に搬送されるとともに、繰り出しローラ対、切断手段、第一搬送ローラ対、バッファ機構の搬送経路が上方に向かうように形成され、空間部は、ロール紙収容部側に形成され、ロール紙を切断したロール紙を引き出す場合、第一搬送ローラ対により、ロール紙をロール紙の収容作業側に繰り出すことにより、請求項１から５の効果を有する。
【図面の簡単な説明】
【００２４】
【図１】本発明のロール紙搬送装置の概略図。
【図２】図１の矢視Ａから見た図。
【図３】通常搬送モードの作動を示す図。
【図４】図３からの動作を示す図。
【図５】図４からの動作を示す図。
【図６】図５からの動作を示す図。
【図７】図６からの動作を示す図。
【図８】先端カットモードの動作を示す図。
【図９】図８からの動作を示す図。
【図１０】図９からの動作を示す図。
【図１１】図１０からの動作を示す図。
【図１２】図１１からの動作を示す図。
【図１３】図１２からの動作を示す図。
【発明を実施するための形態】
【００２５】
以下、図を用いて、本発明の実施の形態を説明する。図１は、本発明のロール紙搬送装置の概略を示す。
【００２６】
図１に示すように、このロール紙搬送装置は、ロール紙Ｐと、ロール紙収容部１０と、切断手段２０と、繰り出しローラ対３０と、第一搬送ローラ対４０と、第二搬送ローラ対５０と、バッファ機構６０とからなる。
【００２７】
ロール紙Ｐは、図示しない作像部により画像が形成されるものである。ロール紙Ｐは、コート紙、光沢紙、普通紙、トレーシングペーパー、フィルム等に関する材質、ロール紙Ｐをカットして所定のサイズにした長尺のものや予め定型サイズにカットされたもの等に関するサイズ等に限定されるものではない。
【００２８】
ロール紙収容部１０は、ロール紙Ｐを収容するものであり、各幅のロール紙Ｐを収納することが可能なスペースとロール紙Ｐを装着する構成を持っている。図示はしないが、例えば、ロール紙Ｐを着脱する機構として、スプールまたは軸によりロール紙Ｐを装着したり、一対のフォルダをロール紙Ｐの両端に装着したりする構成等がある。
【００２９】
切断手段２０は、ロール紙Ｐを所望の長さにカットして、このロール紙Ｐをシートとして形成するものである。切断手段２０としてはオートカッタ式が用いられている。オートカッタ式の具体例として、ロータリ式、ギロチン式、円形回転刃等がある。
【００３０】
繰り出しローラ対３０は、ロール紙収容部１０の装着されたロール紙Ｐの先端を切断手段２０側に引き出すものである。なお、ロール紙Ｐの先端が引き出された後は、順次、ロール紙Ｐは繰り出されていく。
【００３１】
また、図示されていないが、切断手段２０側には、ロール紙Ｐの先端を検知し後、シートが繰り出された量を検知する検知手段が配置されている。この検知手段により、ロール紙Ｐが所望の長さにカットされてシートが形成される。
【００３２】
第一搬送ローラ対４０は、先に述べた繰り出しローラ対３０から引き出されたロール紙Ｐの先端、または順次、繰り出されたロール紙Ｐを、さらに、繰り出すものである。具体的に、図２に示すように、この第一搬送ローラ４０は、ローラ軸４１とこのローラ軸４１に設けられた複数の補助ローラ（４２、４２・・・）とからなる。
【００３３】
なお、図３から明らかなように、ロール紙Ｐの装着・搬送はセンタ（ロール紙Ｐの中央）基準としている。これは、ロール紙Ｐの装着・搬送をサイド（ロール紙Ｐの一端側）基準としてもよいが、装置を形成する構成要素の配置のバランス等を考慮すると、センタ基準が優位である。このことから本発明の実施例では、センタ基準を前提として説明していく。
【００３４】
この第一搬送ローラ４０は、切断手段２０とバッファ機構６０と間に配置されている。具体的には、第一搬送ローラ対４０によりロール紙Ｐを繰り出して、ループが形成しやすいように、切断手段２０とバッファ機構６０が略垂直に近いように配置されている。後に述べるが、この第一搬送ローラ４０の配置は、ロール紙Ｐを作像部に繰り出す通常搬送モードと、ロール紙Ｐを途中で切断してシートを形成する先端カットモードとを行うにあったって重要なものとなる。
【００３５】
第二搬送ローラ対５０は、第一搬送ローラ対４０から繰り出されたロール紙Ｐの先端を突き当てて、この先端をそろえる役割を持つ。また、この第二搬送ローラ５０も、先に述べた第一搬送ローラ４０と同様に、ローラ軸５１と複数の補助ローラ５２とからなる。
【００３６】
バッファ機構６０は、後に動作の説明で述べるが、次の機能を持つものである。一つは、通常搬送モードで、ロール紙Ｐの先端をそろえるときに生じるロール紙Ｐのたわみの吸収することである。一つは先端カットモードで、切断手段２０によりロール紙Ｐの後端をカットしたシートを取り出すことである。
【００３７】
再び図１に戻るが、バッファ機構６０は、第一搬送ローラ対４０と第二搬送ローラ対５０との間に配置されている。バッファ機構６０は、カバー部７０とガイド部８０と空間部Ｓとからなる。
【００３８】
カバー部７０は、先端カットモードでカットされたシートをロール紙Ｐ搬送装置外から取り出すものであり、ロール紙Ｐが搬送される方向に一端が軸支されている。つまり、先端カットモードでカットされたシートの取り出しは、ロール紙収容部１０からロール紙Ｐを取付または交換する方向から行われる。
【００３９】
これにより、ロール紙のシートの取り出し方向を、ロール紙収容部１０からロール紙Ｐを取付または交換する場所と同一となり、シートの取り出し作業の効率を高めることができる。
【００４０】
ガイド部８０は、通常搬送モードおよび先端カットモードにおいて、ロール紙Ｐをたわました時に生じるループの大きさを規制するものである。図３に示すように、ガイド部８０は、ロール紙Ｐ搬送装置に軸支されたガイド軸８１と、ガイド軸８１に設けられたガイド板８２と、ガイド板８２に設けられた調整手段９０とからなる。
【００４１】
ガイド軸８１は、ロール紙Ｐの搬送方向に対し垂直に配置されている。ガイド板８２は、ロール紙Ｐの幅のセンタを基準として左右対称に配置されている。この配置により、ロール紙Ｐの各幅に対して、ロール紙Ｐをたわましたときに生じるループの大きさを一定にすることができる。
【００４２】
調整手段９０はガイド板８２の適宜位置に設けられている。調整手段９０は、板状の部材からなり、ガイド板８２の錘として機能する。調整手段９０を設けることにより、ガイド板８２に、異なる幅に限らず、同じ幅のロール紙Ｐであっても材質、厚さ、コシの強さなどの特性の違いがあっても、ロール紙Ｐをたわました時、ロール紙Ｐに一定の大きさのループを形成させる機能をもたせることができる。
【００４３】
ここで、図３に示すように、調整手段９０は、ガイド部８０の自由端側に配置されている。これは、ガイド部８０がガイド軸８１に軸支されているため、この軸支した支点から最も効果を得ることができる（作用を受けやすい）位置とする。
【００４４】
補足すると、図３において、重いガイド部８０を用いて、例えば、こしの弱いロール紙、例えばトレーシングペーパーでループを形成する場合には、ガイド部８０の重みに、トレーシングペーパーでループを形成するときに生じる力が負けてしまう。結果として、ループを形成しないまま図示しない作像部にロール紙Ｐが搬送されてしまう。
【００４５】
また、軽いガイド部８０を用いて、こしの強いロール紙、例えば、フィルムでループを形成する場合には、ガイド部８０の重みが、フィルムでループを形成するときに生じる力に負けてしまう。結果として、ガイド部８０が浮いた状態で図示しない作像部にロール紙Ｐが搬送されてしまう。そのため、これを両立するために、ガイド板８２の適宜位置に調整手段９０を設けている。
【００４６】
ガイド板８２は、ロール紙Ｐの各（例えばＬ）に対して配置されている。この理由は、ガイド板８２の長さが最大幅のロール紙に対応した場合、幅の狭いロール紙を使用すると、幅の狭いロール紙にガイド板８２の重さが作用してしまいロール紙に適正なループを形成して搬送することができないためからである。
【００４７】
この構成により、例えば、図２において、幅Ｌを持つロール紙Ｐを搬送する場合、幅Ｌの領域にあるガイド板８２の総重量は、コシの強い材質がループを形成する力に相当する重さを持たせるようになっている。
【００４８】
また、ロール紙Ｐにループを形成する搬送路（切断手段２０、第一搬送ローラ対４０、バッファ機構６０をロール紙Ｐが通過する搬送経路）が略垂直に近くなっていること、さらに、後に述べるが、空間部Ｓにより、ロール紙Ｐが座屈した状態から自らの弾性力で復元しようとしてもガイド部８０の回転が規制され、コシの強い材質であってもループの形成を阻害することがないようになっている
【００４９】
空間部Ｓは、通常搬送モード時に生じるたわんだロール紙Ｐの収容と、先端カットモード時の切断したロール紙Ｐの引き出しとを行うものである。
【００５０】
空間部Ｓは、取付部１３０とカバー部７０と、規制部１００と副ガイド部１１０とからなる空間である。この空間部Ｓは、指を入れて作業ができない空間となっている。取付部１３０はガイド部８０を取り付けるものである。カバー部７０は、先端カットモードにおいてロール紙Ｐをカットしたシートを取り出すものであり、一端が軸支されている。
【００５１】
規制部１００はガイド部８０の動きを規制するものである。副ガイド部１１０は、一定の大きさのループとするとともに先端カットモードにおいてロール紙Ｐをカットしたシートシート搬送装置の上方から取り出しやすいように導入するものである。副ガイド部１１０は、第一搬送ローラ対４０の一方が取り付けられた取付部１３０に設けられている。
【００５２】
次に、本発明の動作を説明する。先ず、通常搬送モードの作動を示す。図３に示すように、繰り出しローラ対３０対を介して、第一搬送ローラ対４０により、矢印方向にロール紙Ｐの先端を繰り出す。
【００５３】
さらに、図４に示すように、第一搬送ローラ対４０によりロールを繰り出し、ロール紙Ｐの先端を第二搬送ローラ対５０に当接させる。この時、第二搬送ローラ対５０は停止している。
【００５４】
次いで、図５に示すように、ロール紙Ｐの先端が一対の搬送ローラに十分に当接するまでシートを繰り出す。この間、ロール紙Ｐがたわんでガイド部８０を押し上げる状態で空間部Ｓにループが形成される。
【００５５】
図５において、ロール紙Ｐの先端の位置合わせが完了した後、第二搬送ローラ対５０を回転させ、図示しない作像部にロール紙Ｐを搬送する。この時、カバー部７０によって、たわんだロール紙Ｐのループは、一定の大きさを維持しながら副ガイド部１１０に沿って成長していく。
【００５６】
さらに、矢印方向に第二搬送ローラ対５０を回転させて、ロール紙Ｐを繰り出していくと、図６に示すように、空間部Ｓに収容されたループは徐々に無くなっていく。
【００５７】
最後は、図７に示すように、空間部Ｓにループがない状態で、ロール紙Ｐをカットして形成されたシートの後端が図示されない作像部に搬送されていく。
【００５８】
次に、先端カットモードの作動を示す。先ず、図８に示すように、カバー部７０を開ける。図８に示すように、第一搬送ローラ対４０により、矢印方向にロール紙Ｐの先端を繰り出して、図９に示すようにロール紙Ｐの先端を第二搬送ローラ対５０に突き当てる。
【００５９】
さらに、図９の状態から、ロール紙Ｐの先端をそろえるために、ロール紙Ｐを繰り出していくと、図１０に示すように、シート紙が座屈したるみが発生する。このたるみは、通常搬送モード時の動作で述べたように収容部に収容される。
【００６０】
次いで、図１０の状態からさらにロール紙Ｐを繰り出していくと、図１１に示すように、ループの大きさが一定の状態でたるみが成長していく。ロール紙Ｐの繰り出しは、図１２に示すように、カバー部７０の開口部分からループがでるまで、つまり、ユーザがロール紙Ｐを外部に引き出しやすい位置まで行われる。なお、たるみの成長は、ガイド部８０の作用により、副ガイド部１１０に沿って、ループの大きさが一定の状態で進んでいく。
【００６１】
ユーザがロール紙Ｐを外部に引き出しやすい位置までロール紙Ｐが成長したところで、ロール紙Ｐがカットされシートが形成される。この時、切断されたロール紙Ｐの後端がシートの先端となる。なお、以下の説明では、ロール紙Ｐの先端がシートの後端として説明する。
【００６２】
シートの先端は、所定の時間、シートを繰り出した後、停止する。これと同時に、第一搬送ローラ対４０と第二搬送ローラ対５０を空転させる状態にする。
【００６３】
これにより、第一搬送ローラ対４０にシートの先端が食い込んでいても、これらのローラ間で引っ張られることない。また、第二搬送ローラ対５０にシートの後端が食い込んでいたとしても、これらのローラ間で引っ張られることない。
【００６４】
この後、ループ部分を手で引き出すことにより、ロール紙搬送装置からシートが取り出される。特に、新しいロール紙を給紙装置に装着または交換する時、ロール紙の先端部分に付着したテープを取り除く時、またはこれらを行いロール紙の先端を合わせの時に、ロール紙の先端を切断して発生するシートの欠片をロール紙の収容作業と同じ位置で作業を行うことができる。
【産業上の利用可能性】
【００６５】
ロール紙の画像を形成する作像部を備えた装置、例えば、インクジェット方式、サーマル方式等に適用できる。
【符号の説明】
【００６６】
１０  ロール紙収容部
２０  切断手段
３０  繰り出しローラ対
４０  第一搬送ローラ対
５０  第二搬送ローラ対
６０  バッファ機構
７０  カバー部
８０  ガイド部
９０  調整手段
Ｐ  ロール紙
Ｓ  空間部
【図１】
2011241006.tif 000003
【図２】
2011241006.tif 000004
【図３】
2011241006.tif 000005
【図４】
2011241006.tif 000006
【図５】
2011241006.tif 000007
【図６】
2011241006.tif 000008
【図７】
2011241006.tif 000009
【図８】
2011241006.tif 000010
【図９】
2011241006.tif 000011
【図１０】
2011241006.tif 000012
【図１１】
2011241006.tif 000013
【図１２】
2011241006.tif 000014
【図１３】
2011241006.tif 000015